(57)【要約】【課題】  移動端末から送信されるカード情報の信頼性を高めて電子決済時のセキュリティを向上させる。【解決手段】  ユーザによりクレジットカード情報の送信操作が実行された場合に、携帯電話機２０は、その操作を感知するとともに（Ｓ４１）、圏内圏外状態フラグを参照して圏内圏外状態フラグの識別符号が圏外を示していることを確認する（Ｓ４２）。携帯電話機２０は、圏外であることを示す情報と、圏外状態で継続している時間と、カード情報とをＰＯＳ端末５０を介して決済サーバ６０に送信する（Ｓ４３）。決済サーバ６０は、圏外であることを示す情報、圏外状態で継続している時間およびカード情報に基づいて決済処理を実行する（Ｓ４４）。【選択図】  図８
2005141396.tif 000002
【特許請求の範囲】
【請求項１】
移動通信網に収容される移動端末であって、
決済をするためのカード情報を記憶させるカード情報記憶手段と、
外部からの所定操作に基づいて自端末の認証をするように前記移動通信網に要求する認証要求手段と、
前記認証要求手段による要求に対する認証結果情報を前記移動通信網から受信する認証受信手段と、
前記受信された認証結果情報と前記記憶されたカード情報とを外部に出力する出力手段と、
を備えることを特徴とする移動端末。
【請求項２】
自端末の現在位置について位置登録をするように前記移動通信網に要求する位置登録要求手段と、
前記位置登録要求手段による要求に対する応答を前記移動通信網から受信する応答受信手段と、
前記応答受信手段により前記応答が受信されたか否かを判定する判定手段と、
前記判定手段により判定された結果に基づいて自端末が前記移動通信網の圏内または圏外のいずれに該当するのかを記憶させる圏内圏外記憶手段とをさらに備え、
前記出力手段は、前記圏内圏外記憶手段に記憶されている内容が圏外に該当する場合には、前記カード情報記憶手段により記憶されたカード情報と圏外に該当する旨とを外部に出力することを特徴とする請求項１記載の移動端末。
【請求項３】
移動通信網に収容される移動端末であって、
決済をするためのカード情報を記憶させるカード情報記憶手段と、
自端末の現在位置について位置登録をするように前記移動通信網に要求する位置登録要求手段と、
前記位置登録要求手段による要求に対する応答を前記移動通信網から受信する応答受信手段と、
前記応答受信手段により前記応答が受信されたか否かを判定する判定手段と、
前記判定手段により判定された結果に基づいて自端末が前記移動通信網の圏内または圏外のいずれに該当するのかを記憶させる圏内圏外記憶手段と、
前記圏内圏外記憶手段に記憶されている内容が圏外に該当する場合には、前記カード情報記憶手段により記憶されたカード情報と圏外に該当する旨とを外部に出力する出力手段と、
を備えることを特徴とする移動端末。
【請求項４】
外部からの所定操作に基づいて自端末の認証をするように前記移動通信網に要求する認証要求手段と、
前記認証要求手段による要求に対する認証結果情報を前記移動通信網から受信する認証受信手段とをさらに備え、
前記認証要求手段は、前記圏内圏外記憶手段に記憶されている内容が圏内に該当する場合に、前記自端末の認証を要求し、
前記出力手段は、前記圏内圏外記憶手段に記憶されている内容が圏内に該当する場合には、前記認証受信手段により受信された認証結果情報と前記カード情報記憶手段により記憶されたカード情報とを外部に出力することを特徴とする請求項３記載の移動端末。
【請求項５】
前記位置登録要求手段により前記要求がなされてから次に前記応答受信手段により前記応答が受信されるまでの時間を計測する計測手段と、
前記計測手段により計測された時間が予め定められた時間を超過した場合に、前記出力手段による前記出力を停止させる停止手段と
をさらに備えることを特徴とする請求項２〜４のいずれか１項に記載の移動端末。
【請求項６】
前記位置登録要求手段により前記要求がなされてから次に前記応答受信手段により前記応答が受信されるまでの時間を計測する計測手段をさらに備え、
前記出力手段は、現時点における前記計測された時間をさらに外部に出力することを特徴とする請求項２〜４のいずれか１項に記載の移動端末。
【請求項７】
移動通信網に収容される移動端末を制御する方法であって、
決済をするためのカード情報を記憶させるカード情報記憶ステップと、
外部からの所定操作に基づいて自端末の認証をするように前記移動通信網に要求する認証要求ステップと、
前記認証要求ステップにおける要求に対する認証結果情報を前記移動通信網から受信する認証受信ステップと、
前記受信された認証結果情報と前記記憶されたカード情報とを外部に出力する出力ステップと、
を備えることを特徴とする移動端末制御方法。
【請求項８】
自端末の現在位置について位置登録をするように前記移動通信網に要求する位置登録要求ステップと、
前記位置登録要求ステップにおける要求に対する応答を前記移動通信網から受信する応答受信ステップと、
前記応答受信ステップにおいて前記応答が受信されたか否かを判定する判定ステップと、
前記判定ステップにおいて判定された結果に基づいて自端末が前記移動通信網の圏内または圏外のいずれに該当するのかを記憶させる圏内外記憶ステップとをさらに備え、
前記出力ステップは、前記圏内外記憶ステップにおいて記憶させた内容が圏外に該当する場合には、前記カード情報記憶ステップにおいて記憶させたカード情報と圏外に該当する旨とを外部に出力することを特徴とする請求項７記載の移動端末制御方法。
【請求項９】
移動通信網に収容される移動端末を制御する方法であって、
決済をするためのカード情報を記憶させるカード情報記憶ステップと、
自端末の現在位置について位置登録をするように前記移動通信網に要求する位置登録要求ステップと、
前記要求に対する応答を前記移動通信網から受信する応答受信ステップと、
前記応答受信ステップにおいて前記応答が受信されたか否かを判定する判定ステップと、
前記判定ステップにおいて判定された結果に基づいて自端末が前記移動通信網の圏内または圏外のいずれに該当するのかを記憶させる圏内外記憶ステップと、
前記圏内外記憶ステップにおいて記憶させた内容が圏外に該当する場合には、前記カード情報記憶ステップにおいて記憶させたカード情報と圏外に該当する旨とを外部に出力する出力ステップと、
を備えることを特徴とする移動端末制御方法。
【請求項１０】
前記位置登録要求ステップにおいて前記要求がなされてから次に前記応答受信ステップにおいて前記応答が受信されるまでの時間を計測する計測ステップと、
前記計測ステップにおいて計測された時間が予め定められた時間を超過した場合に、前記出力ステップにおける前記出力を停止させる停止ステップと
をさらに備えることを特徴とする請求項８または請求項９記載の移動端末制御方法。
【請求項１１】
前記位置登録要求ステップにおいて前記要求がなされてから次に前記応答受信ステップにおいて前記応答が受信されるまでの時間を計測する計測ステップをさらに備え、
前記出力ステップは、現時点における前記計測された時間をさらに外部に出力することを特徴とする請求項８または請求項９記載の移動端末制御方法。
【請求項１２】
移動通信網の網管理装置と、前記移動通信網に収容される移動端末と、決済を管理する決済管理装置とを含んで構成される通信システムであって、
前記網管理装置は、
前記移動端末を認証するように要求する認証要求を当該移動端末から受信する認証要求受信手段と、
前記受信した認証要求に基づいて前記移動端末が正当な移動端末であるか否かを判定し、当該判定結果を認証結果情報として前記認証要求に対応する移動端末に送信する認証結果送信手段とを備え、
前記移動端末は、
決済をするためのカード情報を記憶させるカード情報記憶手段と、
外部からの所定操作に基づいて前記認証要求を前記網管理装置に送信する認証送信手段と、
認証送信手段により送信された認証要求に対する認証結果情報を前記網管理装置から受信する認証受信手段と、
前記認証受信手段により受信された認証結果情報と前記カード情報記憶手段により記憶されたカード情報とを前記決済管理装置に出力する出力手段とを備え、
前記決済管理装置は、
前記移動端末から出力された認証結果情報とカード情報とを受信する認証カード情報受信手段と、
前記認証カード情報受信手段により受信された認証結果情報とカード情報とに基づいて決済を行うか否かを決定する決済決定手段と
を備えることを特徴とする通信システム。
【請求項１３】
前記網管理装置は、
前記移動端末の現在位置について位置登録するように要求する位置登録要求を当該移動端末から受信する位置登録要求受信手段と、
前記受信した位置登録要求に基づいて前記移動端末の位置登録を試行し、当該試行結果に応じた応答を前記位置登録要求に対応する移動端末に送信する応答送信手段とをさらに備え、
前記移動端末は、
前記位置登録要求を前記網管理装置に送信する位置登録要求送信手段と、
前記位置登録要求送信手段により送信された位置登録要求に対する応答を前記網管理装置から受信する応答受信手段と、
前記応答受信手段により前記応答が受信されたか否かを判定する判定手段と、
前記判定手段により判定された結果に基づいて自端末が前記移動通信網の圏内または圏外のいずれに該当するのかを記憶させる圏内圏外記憶手段とをさらに備え、前記出力手段は、前記圏内圏外記憶手段に記憶されている内容が圏外に該当する場合には、前記カード情報記憶手段により記憶されたカード情報と圏外に該当する旨とを決済管理装置に出力し、
前記決済管理装置は、
前記移動端末から出力されたカード情報と圏外に該当する旨とを受信するカード圏外情報受信手段と、
前記カード圏外情報受信手段により受信されたカード情報と圏外に該当する旨とに基づいて決済を行うか否かを決定する決済決定手段と
をさらに備えることを特徴とする請求項１２記載の通信システム。
【請求項１４】
移動通信網の網管理装置と、前記移動通信網に収容される移動端末と、決済を管理する決済管理装置とを含んで構成される通信システムであって、
前記網管理装置は、
前記移動端末の現在位置について位置登録するように要求する位置登録要求を当該移動端末から受信する位置登録要求受信手段と、
前記受信した位置登録要求に基づいて前記移動端末の位置登録を試行し、当該試行結果に応じた応答を前記位置登録要求に対応する移動端末に送信する応答送信手段とを備え、
前記移動端末は、
決済をするためのカード情報を記憶させるカード情報記憶手段と、
前記位置登録要求を前記網管理装置に送信する位置登録要求送信手段と、
前記位置登録要求送信手段により送信された位置登録要求に対する応答を前記網管理装置から受信する応答受信手段と、
前記応答受信手段により前記応答が受信されたか否かを判定する判定手段と、
前記判定手段により判定された結果に基づいて自端末が前記移動通信網の圏内または圏外のいずれに該当するのかを記憶させる圏内圏外記憶手段と、
前記圏内圏外記憶手段に記憶されている内容が圏外に該当する場合には、前記カード情報記憶手段により記憶されたカード情報と圏外に該当する旨とを前記決済管理装置に出力する出力手段と、
を備え、
前記決済管理装置は、
前記移動端末から出力されたカード情報と圏外に該当する旨とを受信するカード圏外情報受信手段と、
前記カード圏外情報受信手段により受信されたカード情報と圏外に該当する旨とに基づいて決済を行うか否かを決定する決済決定手段と
を備えることを特徴とする通信システム。
【請求項１５】
前記移動端末は、
前記位置登録要求送信手段により前記要求がなされてから次に前記応答受信手段により前記応答が受信されるまでの時間を計測する計測手段をさらに備え、
前記出力手段は、現時点における前記計測された時間をさらに前記決済管理装置に出力することを特徴とする請求項１３または請求項１４記載の通信システム。
【請求項１６】
移動通信網に収容される移動端末を、
決済をするためのカード情報を記憶させるカード情報記憶手段と、
外部からの所定操作に基づいて自端末の認証をするように前記移動通信網に要求する認証要求手段と、
前記認証要求手段による要求に対する認証結果情報を前記移動通信網から受信する認証受信手段と、
前記受信された認証結果情報と前記記憶されたカード情報とを外部に出力する出力手段として機能させるための移動端末制御プログラム。
【請求項１７】
自端末の現在位置について位置登録をするように前記移動通信網に要求する位置登録要求手段と、
前記位置登録要求手段による要求に対する応答を前記移動通信網から受信する応答受信手段と、
前記応答受信手段により前記応答が受信されたか否かを判定する判定手段と、
前記判定手段により判定された結果に基づいて自端末が前記移動通信網の圏内または圏外のいずれに該当するのかを記憶させる圏内圏外記憶手段としてさらに機能させ、
前記出力手段は、前記圏内圏外記憶手段に記憶されている内容が圏外に該当する場合には、前記カード情報記憶手段により記憶されたカード情報と圏外に該当する旨とを外部に出力することを特徴とする請求項１６記載の移動端末制御プログラム。
【請求項１８】
移動通信網に収容される移動端末を、
決済をするためのカード情報を記憶させるカード情報記憶手段と、
自端末の現在位置について位置登録をするように前記移動通信網に要求する位置登録要求手段と、
前記要求に対する応答を前記移動通信網から受信する応答受信手段と、
前記応答受信手段により前記応答が受信されたか否かを判定する判定手段と、
前記判定手段により判定された結果に基づいて自端末が前記移動通信網の圏内または圏外のいずれに該当するのかを記憶させる圏内圏外記憶手段と、
前記圏内圏外記憶手段に記憶されている内容が圏外に該当する場合には、前記カード情報記憶手段により記憶されたカード情報と圏外に該当する旨とを外部に出力する出力手段として機能させるための移動端末制御プログラム。
【請求項１９】
前記位置登録要求手段により前記要求がなされてから次に前記応答受信手段により前記応答が受信されるまでの時間を計測する計測手段と、
前記計測手段により計測された時間が予め定められた時間を超過した場合に、前記出力手段による前記出力を停止させる停止手段としてさらに機能させるための請求項１７または請求項１８記載の移動端末制御プログラム。
【請求項２０】
前記位置登録要求手段により前記要求がなされてから次に前記応答受信手段により前記応答が受信されるまでの時間を計測する計測手段としてさらに機能させ、
前記出力手段は、現時点における前記計測された時間をさらに外部に出力することを特徴とする請求項１７または請求項１８記載の移動端末制御プログラム。
【発明の詳細な説明】
【技術分野】
【０００１】
本発明は、移動端末、移動端末制御方法、通信システム及び移動端末制御プログラムに係り、特に、クレジットカードやデビットカード等のカード情報を記憶し、所定操作により当該カード情報を出力させる機能を備えた移動端末、当該移動端末の動作を制御する移動端末制御方法、当該移動端末と移動通信ネットワークとを含んで構成される通信システム、及び、当該移動端末に内蔵したコンピュータに実行させるための移動端末制御プログラムに関する。
【背景技術】
【０００２】
現在、電子決済システムを実現するための一手段として、ＩｒＦＭ（Infra-red Financial Messaging；金融決済システム用の赤外線通信規格）等を利用した赤外線通信による電子決済システムがある。
【０００３】
この赤外線通信による電子決済システムでは、クレジットカードやデビットカード等の各種カード情報を記憶し、赤外線通信に対応した携帯電話等の移動端末と、赤外線通信に対応したＰＯＳ端末やＤＥＢＩＴ端末等の店頭端末との間で、各種カード情報等を赤外線通信によって送受信することにより電子決済を実現している。
【０００４】
このような赤外線通信による電子決済システムに関する技術は、例えば、特許文献１等に開示されている。
【特許文献１】特開２００１−１６９３５７号公報（第９頁、図１０）
【発明の開示】
【発明が解決しようとする課題】
【０００５】
しかしながら、上述した移動端末のメモリに記憶されているカード情報は、改竄されてしまう可能性がある。一方、移動端末からカード情報を受け取る側となるカード会社では、移動端末から送信されてきたカード情報に基づいて決済処理を行っているため、セキュリティを確保するための何らかの方策を施さない限り、改ざんされた不正なカード情報であっても電子決済が成立してしまうという問題があった。
【０００６】
そこで、本発明は、上述した課題を解決するために、移動端末から送信されるカード情報の信頼性を高めて電子決済時のセキュリティを向上させることができる移動端末、移動端末制御方法、通信システム及び移動端末制御プログラムを提供することを目的とする。
【課題を解決するための手段】
【０００７】
本発明の移動端末は、移動通信網に収容される移動端末であって、決済をするためのカード情報を記憶させるカード情報記憶手段と、外部からの所定操作に基づいて自端末の認証をするように移動通信網に要求する認証要求手段と、認証要求手段による要求に対する認証結果情報を移動通信網から受信する認証受信手段と、受信された認証結果情報と記憶されたカード情報とを外部に出力する出力手段とを備えることを特徴とする。
【０００８】
また、本発明の移動端末制御方法は、移動通信網に収容される移動端末を制御する方法であって、決済をするためのカード情報を記憶させるカード情報記憶ステップと、外部からの所定操作に基づいて自端末の認証をするように移動通信網に要求する認証要求ステップと、認証要求ステップにおける要求に対する認証結果情報を移動通信網から受信する認証受信ステップと、受信された認証結果情報と記憶されたカード情報とを外部に出力する出力ステップとを備えることを特徴とする。
【０００９】
さらに、本発明の通信システムは、移動通信網の網管理装置と、移動通信網に収容される移動端末と、決済を管理する決済管理装置とを含んで構成される通信システムであって、網管理装置は、移動端末を認証するように要求する認証要求を当該移動端末から受信する認証要求受信手段と、受信した認証要求に基づいて移動端末が正当な移動端末であるか否かを判定し、当該判定結果を認証結果情報として認証要求に対応する移動端末に送信する認証結果送信手段とを備え、移動端末は、決済をするためのカード情報を記憶させるカード情報記憶手段と、外部からの所定操作に基づいて認証要求を網管理装置に送信する認証送信手段と、認証送信手段により送信された認証要求に対する認証結果情報を網管理装置から受信する認証受信手段と、認証受信手段により受信された認証結果情報とカード情報記憶手段により記憶されたカード情報とを決済管理装置に出力する出力手段とを備え、決済管理装置は、移動端末から出力された認証結果情報とカード情報とを受信する認証カード情報受信手段と、認証カード情報受信手段により受信された認証結果情報とカード情報とに基づいて決済を行うか否かを決定する決済決定手段とを備えることを特徴とする。
【００１０】
さらにまた、本発明の移動端末制御プログラムは、移動通信網に収容される移動端末を、決済をするためのカード情報を記憶させるカード情報記憶手段と、外部からの所定操作に基づいて自端末の認証をするように移動通信網に要求する認証要求手段と、認証要求手段による要求に対する認証結果情報を移動通信網から受信する認証受信手段と、受信された認証結果情報と記憶されたカード情報とを外部に出力する出力手段として機能させることを特徴とする。
【００１１】
これらの発明によれば、移動端末は、自端末の認証要求に対する認証結果情報を移動通信網から受信することができるため、信頼できる移動通信網から受信した認証結果情報とカード情報とを外部に出力することが可能となり、移動端末から送信されるカード情報の信頼性を高めて電子決済時のセキュリティを向上させることができる。
【００１２】
本発明の移動端末において、自端末の現在位置について位置登録をするように移動通信網に要求する位置登録要求手段と、位置登録要求手段による要求に対する応答を移動通信網から受信する応答受信手段と、応答受信手段により応答が受信されたか否かを判定する判定手段と、判定手段により判定された結果に基づいて自端末が移動通信網の圏内または圏外のいずれに該当するのかを記憶させる圏内圏外記憶手段とをさらに備え、出力手段は、圏内圏外記憶手段に記憶されている内容が圏外に該当する場合には、カード情報記憶手段により記憶されたカード情報と圏外に該当する旨とを外部に出力することが好ましい。
【００１３】
また、本発明の移動端末制御方法において、自端末の現在位置について位置登録をするように移動通信網に要求する位置登録要求ステップと、位置登録要求ステップにおける要求に対する応答を移動通信網から受信する応答受信ステップと、応答受信ステップにおいて応答が受信されたか否かを判定する判定ステップと、判定ステップにおいて判定された結果に基づいて自端末が移動通信網の圏内または圏外のいずれに該当するのかを記憶させる圏内外記憶ステップとをさらに備え、出力ステップは、圏内外記憶ステップにおいて記憶させた内容が圏外に該当する場合には、カード情報記憶ステップにおいて記憶させたカード情報と圏外に該当する旨とを外部に出力することが好ましい。
【００１４】
さらに、本発明の通信システムにおいて、網管理装置は、移動端末の現在位置について位置登録するように要求する位置登録要求を当該移動端末から受信する位置登録要求受信手段と、受信した位置登録要求に基づいて移動端末の位置登録を試行し、当該試行結果に応じた応答を位置登録要求に対応する移動端末に送信する応答送信手段とをさらに備え、移動端末は、位置登録要求を網管理装置に送信する位置登録要求送信手段と、位置登録要求送信手段により送信された位置登録要求に対する応答を網管理装置から受信する応答受信手段と、応答受信手段により応答が受信されたか否かを判定する判定手段と、判定手段により判定された結果に基づいて自端末が移動通信網の圏内または圏外のいずれに該当するのかを記憶させる圏内圏外記憶手段とをさらに備え、出力手段は、圏内圏外記憶手段に記憶されている内容が圏外に該当する場合には、カード情報記憶手段により記憶されたカード情報と圏外に該当する旨とを決済管理装置に出力し、決済管理装置は、移動端末から出力されたカード情報と圏外に該当する旨とを受信するカード圏外情報受信手段と、カード圏外情報受信手段により受信されたカード情報と圏外に該当する旨とに基づいて決済を行うか否かを決定する決済決定手段とをさらに備えることが好ましい。
【００１５】
さらにまた、本発明の移動端末制御プログラムにおいて、自端末の現在位置について位置登録をするように移動通信網に要求する位置登録要求手段と、位置登録要求手段による要求に対する応答を移動通信網から受信する応答受信手段と、応答受信手段により応答が受信されたか否かを判定する判定手段と、判定手段により判定された結果に基づいて自端末が移動通信網の圏内または圏外のいずれに該当するのかを記憶させる圏内圏外記憶手段としてさらに機能させ、出力手段は、圏内圏外記憶手段に記憶されている内容が圏外に該当する場合には、カード情報記憶手段により記憶されたカード情報と圏外に該当する旨とを外部に出力することが好ましい。
【００１６】
このようにすれば、移動端末は、自端末が圏外に存在することを認識することができ、自端末が圏外に存在するときにクレジットカード情報の送信操作がなされた場合には、カード情報に加え、圏外に該当する旨を外部に出力することが可能となる。また、カード情報および圏外に該当する旨を受信した外部では、それらの情報に基づいて移動端末から送信されたカード情報の信頼性を判断することが可能となるため、電子決済時のセキュリティを向上させることができる。
【００１７】
本発明の移動端末は、移動通信網に収容される移動端末であって、決済をするためのカード情報を記憶させるカード情報記憶手段と、自端末の現在位置について位置登録をするように移動通信網に要求する位置登録要求手段と、位置登録要求手段による要求に対する応答を移動通信網から受信する応答受信手段と、応答受信手段により応答が受信されたか否かを判定する判定手段と、判定手段により判定された結果に基づいて自端末が移動通信網の圏内または圏外のいずれに該当するのかを記憶させる圏内圏外記憶手段と、圏内圏外記憶手段に記憶されている内容が圏外に該当する場合には、カード情報記憶手段により記憶されたカード情報と圏外に該当する旨とを外部に出力する出力手段とを備えることを特徴とする。
【００１８】
また、本発明の移動端末制御方法は、移動通信網に収容される移動端末を制御する方法であって、決済をするためのカード情報を記憶させるカード情報記憶ステップと、自端末の現在位置について位置登録をするように移動通信網に要求する位置登録要求ステップと、要求に対する応答を前記移動通信網から受信する応答受信ステップと、応答受信ステップにおいて応答が受信されたか否かを判定する判定ステップと、判定ステップにおいて判定された結果に基づいて自端末が移動通信網の圏内または圏外のいずれに該当するのかを記憶させる圏内外記憶ステップと、圏内外記憶ステップにおいて記憶させた内容が圏外に該当する場合には、カード情報記憶ステップにおいて記憶させたカード情報と圏外に該当する旨とを外部に出力する出力ステップとを備えることを特徴とする。
【００１９】
さらに、本発明の通信システムは、移動通信網の網管理装置と、移動通信網に収容される移動端末と、決済を管理する決済管理装置とを含んで構成される通信システムであって、網管理装置は、移動端末の現在位置について位置登録するように要求する位置登録要求を当該移動端末から受信する位置登録要求受信手段と、受信した位置登録要求に基づいて移動端末の位置登録を試行し、当該試行結果に応じた応答を位置登録要求に対応する移動端末に送信する応答送信手段とを備え、移動端末は、決済をするためのカード情報を記憶させるカード情報記憶手段と、位置登録要求を網管理装置に送信する位置登録要求送信手段と、位置登録要求送信手段により送信された位置登録要求に対する応答を網管理装置から受信する応答受信手段と、応答受信手段により応答が受信されたか否かを判定する判定手段と、判定手段により判定された結果に基づいて自端末が移動通信網の圏内または圏外のいずれに該当するのかを記憶させる圏内圏外記憶手段と、圏内圏外記憶手段に記憶されている内容が圏外に該当する場合には、カード情報記憶手段により記憶されたカード情報と圏外に該当する旨とを決済管理装置に出力する出力手段とを備え、決済管理装置は、移動端末から出力されたカード情報と圏外に該当する旨とを受信するカード圏外情報受信手段と、カード圏外情報受信手段により受信されたカード情報と圏外に該当する旨とに基づいて決済を行うか否かを決定する決済決定手段とを備えることを特徴とする。
【００２０】
さらにまた、本発明の移動端末制御プログラムは、移動通信網に収容される移動端末を、決済をするためのカード情報を記憶させるカード情報記憶手段と、自端末の現在位置について位置登録をするように移動通信網に要求する位置登録要求手段と、要求に対する応答を移動通信網から受信する応答受信手段と、応答受信手段により応答が受信されたか否かを判定する判定手段と、判定手段により判定された結果に基づいて自端末が移動通信網の圏内または圏外のいずれに該当するのかを記憶させる圏内圏外記憶手段と、圏内圏外記憶手段に記憶されている内容が圏外に該当する場合には、カード情報記憶手段により記憶されたカード情報と圏外に該当する旨とを外部に出力する出力手段として機能させることを特徴とする。
【００２１】
これらの発明によれば、移動端末は、自端末が圏外に存在することを認識することができ、自端末が圏外に存在するときにクレジットカード情報の送信操作がなされた場合には、カード情報に加え、圏外に該当する旨を外部に出力することが可能となる。また、カード情報および圏外に該当する旨を受信した外部では、それらの情報に基づいて移動端末から送信されたカード情報の信頼性を判断することが可能となるため、電子決済時のセキュリティを向上させることができる。
【００２２】
本発明の移動端末において、外部からの所定操作に基づいて自端末の認証をするように移動通信網に要求する認証要求手段と、認証要求手段による要求に対する認証結果情報を移動通信網から受信する認証受信手段とをさらに備え、認証要求手段は、圏内圏外記憶手段に記憶されている内容が圏内に該当する場合に、自端末の認証を要求し、出力手段は、圏内圏外記憶手段に記憶されている内容が圏内に該当する場合には、認証受信手段により受信された認証結果情報とカード情報記憶手段により記憶されたカード情報とを外部に出力することが好ましい。
【００２３】
このようにすれば、移動端末は、自端末が圏内に存在することを認識することができ、自端末が圏内に存在するときにクレジットカード情報の送信操作がなされた場合には、カード情報に加え、信頼できる移動通信網から受信した認証結果情報を外部に出力することが可能となる。したがって、移動端末から送信されるカード情報の信頼性を高めて電子決済時のセキュリティを向上させることができる。
【００２４】
本発明の移動端末において、位置登録要求手段により要求がなされてから次に応答受信手段により応答が受信されるまでの時間を計測する計測手段と、計測手段により計測された時間が予め定められた時間を超過した場合に、出力手段による出力を停止させる停止手段とをさらに備えることが好ましい。
【００２５】
また、本発明の移動端末制御方法において、位置登録要求ステップにおいて要求がなされてから次に応答受信ステップにおいて応答が受信されるまでの時間を計測する計測ステップと、計測ステップにおいて計測された時間が予め定められた時間を超過した場合に、出力ステップにおける出力を停止させる停止ステップとをさらに備えることが好ましい。
【００２６】
さらに、本発明の移動端末制御プログラムにおいて、位置登録要求手段により前記要求がなされてから次に応答受信手段により応答が受信されるまでの時間を計測する計測手段と、計測手段により計測された時間が予め定められた時間を超過した場合に、出力手段による出力を停止させる停止手段としてさらに機能させることが好ましい。
【００２７】
このようにすれば、移動端末は、計測手段により圏外状態に該当する時間を計測することができるとともに、この計測された時間が予め定められた限度時間を超えた場合に移動端末の出力機能（赤外線通信機能）を停止することができる。したがって、不正なカード情報の送信を未然に防止することが可能となり、ひいては電子決済時のセキュリティを向上させることができる。
【００２８】
本発明の移動端末において、位置登録要求手段により要求がなされてから次に応答受信手段により応答が受信されるまでの時間を計測する計測手段をさらに備え、出力手段は、現時点における計測された時間をさらに外部に出力することが好ましい。
【００２９】
また、本発明の移動端末制御方法において、位置登録要求ステップにおいて要求がなされてから次に応答受信ステップにおいて応答が受信されるまでの時間を計測する計測ステップをさらに備え、出力ステップは、現時点における計測された時間をさらに外部に出力することが好ましい。
【００３０】
さらに、本発明の通信システムにおいて、移動端末は、位置登録要求送信手段により要求がなされてから次に応答受信手段により応答が受信されるまでの時間を計測する計測手段をさらに備え、出力手段は、現時点における計測された時間をさらに決済管理装置に出力することが好ましい。
【００３１】
さらにまた、本発明の移動端末制御プログラムにおいて、位置登録要求手段により要求がなされてから次に応答受信手段により応答が受信されるまでの時間を計測する計測手段としてさらに機能させ、出力手段は、現時点における計測された時間をさらに外部に出力することが好ましい。
【００３２】
このようにすれば、移動端末は、計測手段により圏外状態に該当する時間を計測することができるとともに、この計測された時間を外部に出力することができる。したがって、このような計測時間を受け取った外部側でカード情報の信頼性を判断することが可能となり、ひいては電子決済時のセキュリティを向上させることができる。
【発明の効果】
【００３３】
本発明に係る移動端末、移動端末制御方法、通信システム及び移動端末制御プログラムによれば、移動端末から送信されるカード情報の信頼性を高めて電子決済時のセキュリティを向上させることができる。
【発明を実施するための最良の形態】
【００３４】
以下、本発明に係る移動通信端末の実施形態を図面に基づき説明する。なお、各図において、同一要素には同一符号を付して重複する説明を省略する。
【００３５】
図１は本実施形態における通信システム１の構成を示す図である。図１に示すように通信システム１は、移動通信網２と、この移動通信網２に収容される複数の携帯電話機１０と、クレジット会社ネットワーク３とを有する。なお、図１に示される携帯電話機１０は移動通信網２の通信サービスエリア内に位置し、携帯電話機２０は移動通信網２の通信サービスエリア外に位置するものとする。また、携帯電話機２０は、携帯電話機１０で同一の構成をしているため、以下において携帯電話機２０の構成の説明は省略する。
【００３６】
移動通信網２は、管理装置３０と、複数の図示しない交換機を有する交換ネットワークＮと、複数の基地局４０とを有する。この移動通信網２は、当該移動通信網２の通信サービスエリア内に在圏する携帯電話機１０に対して通話サービスあるいはパケット通信サービスを提供する。
【００３７】
クレジット会社ネットワーク３は、ＰＯＳ端末５０と、決済サーバ６０とを有する。このクレジット会社ネットワーク３は、クレジット会社により独自に構築されるネットワークである。
【００３８】
なお、図１においては図面が煩雑になることを防ぐために、移動通信網２を構成する所定の基地局４０、移動通信網２に収容される所定の携帯電話機１０，２０およびクレジット会社ネットワーク３を構成する所定のＰＯＳ端末５０のみが示されている。
【００３９】
次に、図１に示された各装置について説明する。管理装置３０は、サービス加入者の所持する各携帯電話機１０が通信サービスエリア内のどの位置（エリア）に在圏しているのかを示す情報をメモリに記憶させることで位置登録を行う。
【００４０】
また、管理装置３０は、交換ネットワークＮを介して携帯電話機１０から送信されてくる位置登録要求を受信する。この位置登録要求には、送信元の携帯電話機６０を一意に特定する端末ＩＤと、当該携帯電話機１０が在圏している場所を一意に特定するエリアＩＤとが含まれており、管理装置３０は、端末ＩＤに対応させてエリアＩＤをメモリに登録する。なお、端末ＩＤは、例えば、携帯電話機１０の電話番号などであり、エリアＩＤは、例えば、交換ネットワークNを構成する各交換機の交換機ＩＤなどである。
【００４１】
基地局４０は、移動通信網２の通信サービスエリア内に多数設置されており、各々の無線エリアに在圏する携帯電話機１０と無線通信を行う。
【００４２】
携帯電話機１０は、自機が在圏する無線エリアをカバーする基地局４０と無線通信を行い、通話サービスあるいはパケット通信サービスを受ける移動機である。この携帯電話機１０は、例えば、自機の電源が投入されたことを検出した場合や、自機が他の位置（エリア）に移動したことを検出した場合に、位置登録を要求する無線信号を基地局４０に送信する。また、携帯電話機１０は、自機の電源が投入されている期間においては、たとえ同一の位置（エリア）に在圏し続けている場合であっても、周期的に位置登録を要求する無線信号を基地局４０に送信する。
【００４３】
ＰＯＳ（point of sale）端末５０は、例えば、コンビニエンスストア等に設置されている周知のＰＯＳ端末である。決済サーバ６０はＰＯＳ端末５０とネットワークを介して接続されているサーバ装置であり、ＰＯＳ端末から送信されたクレジットカード情報に基づいて決済処理を行う。ここで、クレジットカード情報には、クレジットカード番号、決済銀行の銀行コード・店舗コード・口座番号等の個人情報が含まれる。
【００４４】
次に、図２を用いて携帯電話機１０のハードウェア構成を説明する。図２に示すように、携帯電話機６０は、ＣＰＵ１０Ａと、メモリ１０Ｂと、無線通信装置１０Ｃと、入力装置１０Ｄと、表示装置１０Ｅと、通話処理装置１０Ｆとを有し、これらの各部はバス１０Ｇによって接続されている。
【００４５】
無線通信装置１０Ｃは、基地局４０との間で行われる無線データ通信を制御する。この無線通信装置１０Ｃは、ＣＰＵ１０Ａの制御の下、位置登録要求を含んだ制御信号を生成する。また、無線通信装置１０Ｃは、通話用の音声データあるいはパケットデータなどを送信するための無線信号を生成する。そして、無線通信装置１０Ｃは、生成したこれらの信号を基地局４０に送信する。
【００４６】
さらに、無線通信装置１０Ｃは、通話用の音声データあるいはパケットデータなどが含まれている無線信号を受信し、これを復調して音声データあるいはパケットデータを得る。
【００４７】
入力装置１０Ｄは、数字や文字、操作指示などを入力するための複数のキーを備え、これらのキーの操作に応じた操作信号をＣＰＵ１０Ａに出力する。通話処理装置１０Ｆは、例えば、マイクやスピーカ、音声処理部などを有し、ＣＰＵ１０Ａの制御の下、呼接続／切断処理を含む通話処理を行う。表示装置１０Ｅは、液晶表示パネルと、この液晶表示パネルの表示制御を行う駆動回路とを有する。
【００４８】
メモリ１０Ｂは、例えば、ＥＥＰＲＯＭ（Electrically Erasable Programmable Read Only Memory）などの不揮発性メモリを有する。メモリ１０Ｂは、端末ＩＤ格納領域と、在圏エリアＩＤ格納領域と、圏内圏外状態フラグ格納領域と、クレジットカード情報格納領域とを有する。この端末ＩＤ格納領域には、当該携帯電話機１０の端末ＩＤが、例えば、この携帯電話機１０の購入時に書き込まれる。また、在圏エリアＩＤ格納領域には、基地局４０から受信した当該携帯電話機１０が在圏する場所のエリアＩＤが格納される。また、圏内圏外状態フラグ格納領域には、携帯電話機１０が現時点において圏内または圏外のいずれの状態であるのかを示す識別符号が格納される。また、クレジットカード情報格納領域には、上述したクレジットカード番号等の個人情報が格納される。
【００４９】
ＣＰＵ１０Ａは、メモリ１０Ｂに格納されている各種プログラムを実行することにより、バス１０Ｇを介して接続されている装置各部を制御する。また、ＣＰＵ１０Ａは、時間を計測するタイマ機能を有する。
【００５０】
次に、図３を用いて移動通信システム１を構成している携帯電話機１０、管理装置３０、ＰＯＳ端末５０および決済サーバ６０の機能ブロック構成を説明する。図３に示すように、携帯電話機１０は、以下に説明する各機能を含んで構成されている。
【００５１】
位置登録要求部１１は、自機の現在位置について位置登録をするように要求する位置登録要求を移動通信網２の管理装置３０に送信する。位置登録応答受信部１２は、位置登録要求に対する応答を移動通信網２の管理装置３０から受信する。認証要求部１３は、自機の認証をするように要求する認証要求を移動通信網２の管理装置３０に送信する。認証結果受信部１４は、認証要求に対する認証結果情報を動通信網２の管理装置３０から受信する。判定部１５は、位置登録要求に対する応答が位置登録応答受信部１２によって受信されたか否かを判定する。計測部１６は、最初に位置登録要求がなされてから次に位置登録要求に対する応答が受信されるまでの時間を計測する。停止部１７は、計測部１６によって計測された時間が予め定められた時間を超過した場合に、赤外線通信機能を停止させる。記憶部１８は、各種の情報をメモリ１０Ｂに記憶させる。赤外線通信部１９は、赤外線通信機能を有し、例えば、クレジットカード情報をＰＯＳ端末５０に対して出力させる。なお、上述した各機能については、図２のＣＰＵ１０Ａがこれらの役割を果す。
【００５２】
管理装置３０は、以下に説明する各機能を含んで構成されている。位置登録要求受信部３１は、携帯電話機１０の現在位置について位置登録をするように要求する位置登録要求を当該携帯電話機１０から受信する。位置登録管理部３２は、受信された位置登録要求に基づいて携帯電話機の位置登録を行う。位置登録応答送信部３３は、位置登録を行った結果に応じた応答を位置登録要求に対応する携帯電話機１０に送信する。認証要求受信部３４は、携帯電話機１０を認証するように要求する認証要求を当該携帯電話機１０から受信する。認証部３５は、受信した認証要求に基づいて携帯電話機１０が正当な携帯電話機１０であるか否かを判定することにより認証を行う。認証結果送信部３６は、認証部３５による判定結果を認証結果情報として認証要求に対応する携帯電話機１０に送信する。位置登録データベース３７は、携帯電話機１０の端末ＩＤと携帯電話機１０が在圏している場所のエリアＩＤとを対応付けて記憶する。認証データベース３８は、携帯電話機１０の端末ＩＤと当該携帯電話機１０のユーザにより登録されたクレジットカードのカード番号とを対応付けて記憶する。
【００５３】
ＰＯＳ端末５０は、携帯電話機１０との間で赤外線通信を行う赤外線通信部５１と、決済サーバ６０との間で有線通信を行う通信部５２とを含んで構成されている。決済サーバ６０は、ＰＯＳ端末５０との間で有線通信を行う通信部６１と、クレジットカードによる決済処理を実行する決済処理部６２とを含んで構成されている。
【００５４】
次に、図４から図８を参照して本発明に係る動作を説明する。
【００５５】
まず、本発明に係る通信システム１は、携帯電話機１０が移動通信網２の通信サービスエリアの圏内に存在するのか、圏外に存在するのかによって動作が異なるため、移動電話機１０が現時点において圏内または圏外のいずれに存在するのかを認識させる必要がある。そこで、まずは図４および図５を参照して移動電話機１０が圏内または圏外のいずれに存在するのかを示す圏内圏外状態フラッグの更新処理の動作について説明する。
【００５６】
図４は、携帯電話機１０の位置登録が成功した場合に行われる圏内圏外状態フラッグ更新処理の動作を示すシーケンス図である。図４に示すように、まず、携帯電話機１０の位置登録要求部１１は、自機の現在位置について位置登録をするように要求する位置登録要求を移動通信網２の管理装置３０に対して送信する（ステップＳ１）。ここで、位置登録要求には、携帯電話機１０の端末ＩＤと携帯電話機１０が在圏している場所のエリアＩＤとが含まれる。
【００５７】
管理装置３０の位置登録要求受信部３１は、携帯電話機１０からの位置登録要求を受信する（ステップＳ２）。管理装置３０の位置登録管理部３２は、位置登録要求に含まれる端末ＩＤに基づいて位置登録データベース３７を参照し、位置登録要求に含まれるエリアＩＤに基づいて端末ＩＤに対応して記憶されているエリアＩＤを更新する（ステップＳ３）。
【００５８】
管理装置３０の位置登録応答送信部３３は、位置登録データベース３７に携帯電話機１０の現在位置の登録が完了したことを示す応答信号を携帯電話機１０に対して送信する（ステップＳ４）。
【００５９】
携帯電話機１０の判定部１５は、位置登録応答受信部１２により応答信号が受信された場合に管理装置３０から送信された応答信号が受信されたと判定し、携帯電話機１０のメモリ１０Ｂに記憶されている圏内圏外状態フラグを圏内であることを示す識別符号に更新する（ステップＳ５）。
【００６０】
図５は、携帯電話機２０の位置登録が行われない場合に行われる圏内圏外状態フラッグ更新処理の動作を示すシーケンス図である。図５に示すように、まず、携帯電話機２０の位置登録要求部１１は、自機の現在位置について位置登録をするように要求する位置登録要求を移動通信網２の管理装置３０に対して送信する（ステップＳ１１）。
【００６１】
ここで、携帯電話機２０が移動通信網２の通信サービスエリア外に位置している（圏外状態）場合等には、携帯電話機２０から送信された位置登録要求は移動通信網２に受信されない。したがって、携帯電話機２０の位置登録応答受信部１２は管理装置３０からの応答信号を受信することができない。
【００６２】
携帯電話機２０の計測部１６は、位置登録要求が送信されてからその応答信号が受信されるまでは携帯電話機１０が圏外状態に該当しているものと判断し、位置登録要求が送信された直後に、圏外状態に該当する時間の計測を開始する（ステップＳ１２）。
【００６３】
そして、携帯電話機２０の判定部１５は、位置登録応答受信部１２により所定時間内に応答信号が受信されない場合には携帯電話機２０が圏外であると判定し、携帯電話機２０のメモリ１０Ｂに記憶されている圏内圏外状態フラグを圏外であることを示す識別符号に更新する（ステップＳ１３）。
【００６４】
携帯電話機２０の位置登録要求部１１は、その後も周期的に位置登録要求を繰り返し送信する（ステップＳ１４）。その後、携帯電話機２０が通信サービスエリア内に移動すると、管理装置３０の位置登録要求受信部３１は、携帯電話機２０から送信された位置登録要求を受信することとなる（ステップＳ１５）。
【００６５】
管理装置３０の位置登録管理部３２は、位置登録要求に含まれる端末ＩＤに基づいて位置登録データベース３７を参照し、位置登録要求に含まれるエリアＩＤに基づいて端末ＩＤに対応して記憶されているエリアＩＤを更新する（ステップＳ１６）。
【００６６】
管理装置３０の位置登録応答送信部３３は、位置登録データベース３７に携帯電話機１０の現在位置の登録が完了したことを示す応答信号を携帯電話機２０に対して送信する（ステップＳ１７）。
【００６７】
携帯電話機２０の判定部１５は、位置登録応答受信部１２により応答信号が受信された場合に管理装置３０から送信された応答信号が受信されたと判定し、携帯電話機２０の計測部１６による時間計測を終了させる（ステップＳ１８）とともに、携帯電話機２０のメモリ１０Ｂに記憶されている圏内圏外状態フラグを圏内であることを示す識別符号に更新する（ステップＳ１９）。
【００６８】
次に、図６を参照して本発明に係る通信システム１の特徴の一つである携帯電話機２０の赤外線通信機能の停止処理について説明する。図６は、携帯電話機２０が計測部１６により計測された時間に基づいて赤外線通信機能を停止させる際の動作を示すフローチャトである。
【００６９】
図６に示すように、まず、携帯電話機２０の位置登録要求部１１は、自機の現在位置について位置登録をするように要求する位置登録要求を移動通信網２の管理装置３０に対して送信する（ステップＳ２１）。しかしながら、携帯電話機２０が上述した圏外状態である場合には、携帯電話機２０から送信された位置登録要求は移動通信網２に受信されないため、携帯電話機２０の位置登録応答受信部１２が管理装置３０からの応答信号を受信することができない。
【００７０】
したがって、携帯電話機２０の計測部１６は、位置登録要求が送信されてからその応答信号が受信されるまでは携帯電話機２０が圏外状態に該当しているものと判断し、位置登録要求が送信された直後に、圏外状態に該当する時間の計測を開始する（ステップＳ２２）。
【００７１】
携帯電話機２０の停止部１７は、計測部１６により計測された計測時間と予め定められた限度時間Ｔとを比較し（ステップＳ２３）、計測時間が限度時間Ｔを超えるまでその比較を繰り返す（ステップＳ２３；ＮＯ）。一方、計測時間が限度時間Ｔを超えた場合には（ステップＳ２３；ＹＥＳ）、携帯電話機２０の停止部１７は、赤外線通信部１９による赤外線通信機能を停止させ、赤外線通信部１９からカード情報等が出力できないようにする（ステップＳ２４）。
【００７２】
このように、計測時間（圏外状態に該当する時間）が限度時間Ｔを超えた場合に携帯電話機２０の赤外線通信機能を停止することによって、例えば、電話番号が付与されていない不正な携帯電話機に記憶されている改ざんされたクレジットカード情報によりクレジットカードの決済が成立してしまうことを未然に防止することが可能となる。
【００７３】
なお、計測時間が限度時間Ｔを超えた場合に行われる携帯電話機２０での動作は、携帯電話機２０の赤外線通信機能を停止することだけには限られず、例えば、携帯電話機２０の液晶画面上にメッセージを表示させ、クレジットカード会社のオペレータに電話をかける等の具体的な対応を指示するようにしてもよい。このようなメッセージの例を以下に記載する。“この端末はＸ日間圏外でした。赤外線決済機能を利用するためには一度電波の受信できるエリアに移動するか、03-XXXX-XXXXまで電話して直接認証を取得して下さい。
”
次に、図７および図８を参照して本発明に係る通信システム１において行われるクレジットカードの決済処理が実行されるまでの動作について説明する。
【００７４】
まず、図７は、携帯電話機１０が圏内である場合に行われる動作を示すシーケンス図である。図７に示すように、ユーザによりクレジットカード情報の送信操作が実行された場合に、携帯電話機１０のＣＰＵ１０Ａは、その操作を感知するとともに（ステップＳ３１）、圏内圏外状態フラグを参照して圏内圏外状態フラグの識別符号が圏内を示していることを確認する（ステップＳ３２）。
【００７５】
携帯電話機１０の認証要求部１３は、自機の認証をするように要求する認証要求を移動通信網２の管理装置３０に送信する（ステップＳ３３）。ここで、認証要求には、携帯電話機１０の端末ＩＤとカード情報のうちのクレジットカード番号が含まれる。
【００７６】
管理装置３０の認証部３５は、認証要求受信部により受信された端末ＩＤとクレジットカード番号とに基づいて認証データベース３８を参照し、携帯電話機１０が正当であるか否かの判定を行う（ステップＳ３４）。この判定方法の内容を具体的に説明すると、認証部３５は、認証要求受信部により受信された端末ＩＤに基づいて認証データベース３８を検索し、この検索により検出された端末ＩＤに対応して記憶されているカード番号と、認証要求受信部により受信されたカード番号とが一致するか否かを判定する。そして、この判定の結果、両者が一致する場合には携帯電話機１０が正当であると判定し、一致しない場合には携帯電話機１０が不当であると判定する。
【００７７】
管理装置３０の認証結果送信部３６は、認証部３５により判定された結果を認証結果情報として携帯電話機１０に返信する（ステップＳ３５）。
【００７８】
携帯電話機１０の赤外線通信部１９は、認証結果受信部１４により受信された認証結果情報とメモリ１０Ｂに記憶されているカード情報とをＰＯＳ端末５０に対して送信（赤外線通信）する（ステップＳ３６）。ＰＯＳ端末５０の通信部５２は、赤外線通信部５１により受信された認証結果情報とカード情報とを決済サーバ６０に送信する。
【００７９】
決済サーバ６０の決済処理部６２は、通信部６１により受信された認証結果情報とカード情報とに基づいて決済処理を実行する（ステップＳ３７）。より具体的に説明すると、決済処理部６２は、受信した認証結果情報が正当な携帯電話機１０であることを示す場合には、クレジットカードによる決済処理を実行し、受信した認証結果情報が不当な携帯電話機１０であることを示す場合には、クレジットカードによる決済処理を中止する。
【００８０】
このように、カード情報に加えて認証結果情報を決済サーバ６０に送信することによって、カード情報の信頼性をクレジット会社側で判断することが可能となる。したがって、クレジットカード会社側の判断によりセキュリティのレベルを設定することができる。
【００８１】
図８は、携帯電話機が圏外である場合に行われる動作を示すシーケンス図である。図８に示すように、ユーザによりクレジットカード情報の送信操作が実行された場合に、携帯電話機２０のＣＰＵ１０Ａは、その操作を感知するとともに（ステップＳ４１）、圏内圏外状態フラグを参照して圏内圏外状態フラグの識別符号が圏外を示していることを確認する（ステップＳ４２）。
【００８２】
携帯電話機２０の赤外線通信部１９は、圏外であることを示す情報と、計測部１６によって計測されている計測時間と、メモリ１０Ｂに記憶されたカード情報とをＰＯＳ端末５０に送信（赤外線通信）する（ステップＳ４３）。ＰＯＳ端末５０の通信部５２は、赤外線通信部５１により受信された圏外であることを示す情報、計測時間およびカード情報を決済サーバ６０に送信する。
【００８３】
決済サーバ６０の決済処理部６２は、通信部６１により受信された圏外であることを示す情報、計測時間およびカード情報に基づいて決済処理を実行する（ステップＳ４４）。より具体的に説明すると、決済処理部６２は、受信した計測時間が所定時間以内である場合には、クレジットカードによる決済処理を実行し、受信した計測時間が所定時間を超える場合には、クレジットカードによる決済処理を中止する。
【００８４】
ここで、上記所定時間は、クレジット会社側で任意に設定することができるが、例えば，携帯電話機２０が、電波の届かない地下街などで買い物をしているユーザに所持されていること等を想定し、そのような状況であってもカード情報が有効な情報として取り扱われるように設定することが望ましい。
【００８５】
このように、圏外である場合には、カード情報に加えて圏外であることを示す情報と計測時間を決済サーバ６０に送信することによって、カード情報の信頼性をクレジット会社側で判断することが可能となる。したがって、クレジットカード会社側の判断によりセキュリティのレベルを設定することができる。
【００８６】
さらに、計測時間が所定時間を超える場合に決済処理を中止にすることができるため、例えば、電話番号が付与されていない携帯電話機であれば、電話番号が付与されない限り圏内になることはあり得ないため、このような不正な携帯電話機を用いて行われるクレジットカードの決済をクレジット会社側で的確に防止することができる。
【００８７】
最後に、本発明の実施形態に係る移動端末制御プログラムについて説明する。移動端末制御プログラムは、例えば、コンピュータ読み取り可能な記憶媒体に記録される。ここで、記録媒体とは、コンピュータのハードウェア資源に備えられている読み取り装置に対して、プログラムの記述内容に応じて、磁気、光、電気等のエネルギーの変化状態を引き起こして、それに対応する信号の形式で、読み取り装置にプログラムの記述内容を伝達できるものである。かかる記録媒体としては、例えば、ＩＣ（Integrated Circuit）カード、磁気ディスク、光ディスク、ＣＤ−ＲＯＭ等のようにコンピュータ（移動機を含む）に着脱可能に装着されるものの他に、コンピュータに固定的に内蔵されるＨＤ（Hard Disk）や一体に固着されたファームウェア等の不揮発性半導体メモリなどが該当する。
【００８８】
また、上記プログラムは、その一部若しくは全部を他の機器から通信回線等の伝送媒体を介して、本発明に係る移動機により受信され記憶される構成にしてもよい。また、上記プログラムは、本発明に係る移動機から伝送媒体を介して他の移動機に伝送され、インストールされる構成にしてもよい。
【図面の簡単な説明】
【００８９】
【図１】発明の実施形態における通信システムの構成図である。
【図２】図１に示す携帯電話機のハードウェア構成を示すブロック図である。
【図３】図１に示す携帯電話機、管理装置、ＰＯＳ端末および決済サーバの機能ブロック図である。
【図４】携帯電話機の位置登録が成功した場合の動作を示すシーケンス図である。
【図５】携帯電話機の位置登録が拒否された場合の動作を示すシーケンス図である。
【図６】携帯電話機の赤外線通信機能を停止する場合の動作を示すフローチャートである。
【図７】携帯電話機が圏内である場合の動作を示すシーケンス図である。
【図８】携帯電話機が圏外である場合の動作を示すシーケンス図である。
【符号の説明】
【００９０】
１…通信システム、２、移動通信網、３…クレジットカード会社ネットワーク、１０、２０…移動機、１０Ａ…ＣＰＵ、１０Ｂ…メモリ、１０Ｃ…無線通信装置、１０Ｄ…入力装置、１０Ｅ…表示装置、１０Ｆ…通話処理装置、１０Ｇ…バス、１１…位置登録要求部、１２…位置登録応答受信部、１３…認証要求部、１４…認証結果受信部、１５…判定部、１６…計測部、１７…停止部、１８…記憶部、１９…赤外線通信部、３０…管理装置、３１…位置登録要求受信部、３２…位置登録管理部、３３…位置登録応答送信部、３４…認証要求受信部、３５…認証部、３６…認証結果送信部、３７…位置登録データベース、３８…認証データベース、４０…基地局、５０…ＰＯＳ端末、５１…赤外線通信部、５２…通信部、６０…決済サーバ、６１…通信部、６２…決済処理部、６３、ホームメモリ、Ｎ…交換ネットワーク
【図１】
2005141396.tif 000003
【図２】
2005141396.tif 000004
【図３】
2005141396.tif 000005
【図４】
2005141396.tif 000006
【図５】
2005141396.tif 000007
【図６】
2005141396.tif 000008
【図７】
2005141396.tif 000009
【図８】
2005141396.tif 000010